(57)【要約】【課題】回転筒内への装入部分における被乾燥物の分散性を高め、乾燥処理量の低減を防止する。【解決手段】外部に被乾燥物Ｍの受入口２２Ａを有し、かつ回転筒１０内に延在し装入口２２Ｂが回転筒内に位置して設けられた筒部本体２２と、筒部本体２２内に設けられ、被乾燥物Ｍを回転筒１０内に送り込む送り羽根とを有し、さらに、筒部本体２２の外周囲部を通して被乾燥物Ｍの分散用ガスＧを回転筒内に１０吹き込むガス送入手段（外筒２６）を備えている。【選択図】図１
2008089246.tif 000002
【特許請求の範囲】
【請求項１】
軸心方向周りに回動自在な回転筒と、前記回転筒内に前記回転筒軸心と平行に配置される複数の加熱管とを備え、前記回転筒の一方側から被乾燥物を装入し他方側から乾燥物を排出するようにした間接加熱型回転乾燥機において、
前記一方側において、被乾燥物を前記回転筒内に装入する装入筒部を有し、
前記装入筒部は；外部に被乾燥物の受入口を有し、かつ前記回転筒内に延在し装入口が前記回転筒内に位置して設けられた筒部本体と、前記筒部本体内に設けられ、前記受入口から投入された被乾燥物を前記回転筒内に送り込む送り羽根とを有し；
さらに、前記筒部本体の外周囲部を通して被乾燥物の分散用ガスを前記回転筒内に吹き込むガス送入手段を備えた
ことを特徴とする間接加熱型回転乾燥機。
【請求項２】
前記ガス送入手段は、前記筒部本体の外周囲に設けられた同心の外筒を有し、前記筒部本体と外筒との間をガス送入空間としている請求項１記載の間接加熱型回転乾燥機。
【請求項３】
前記筒部本体の先端開口縁は、下側部分が上側部分より後方に位置して開口している請求項１または２記載の間接加熱型回転乾燥機。
【請求項４】
前記外筒の少なくとも下側部分先端は、前記筒部本体の先端開口縁の下側部分より後方に位置している請求項２記載の間接加熱型回転乾燥機。
【請求項５】
前記筒部本体の先端開口縁は、下側部分が上側部分より後方に位置して開口しており、前記送り羽根は、前記先端開口縁の下側部分より先端側に延在している請求項１または２記載の間接加熱型回転乾燥機。
【請求項６】
前記筒部本体の先端開口縁は、下側部分が上側部分より後方に位置して開口しており、前記筒部本体の前記先端開口縁の下側部分より先端側に延在している領域においては、前記送り羽根の後方側より外径が小さい請求項１または２記載の間接加熱型回転乾燥機。
【発明の詳細な説明】
【技術分野】
【０００１】
本発明は間接加熱型回転乾燥機に係り、特に好適にはスチームチューブドライヤーに関するものである。
【背景技術】
【０００２】
間接加熱型回転乾燥機としては、たとえば特許文献１のようなスチームチューブドライヤーが知られている。このスチームチューブドライヤーは回転筒内に設置された複数の加熱管に蒸気などの熱媒体を流通させることによって、加熱管を通じて被乾燥物が加熱され乾燥される。このようなスチームチューブドライヤーは、容積あたりの加熱面積が大きいため乾燥能力が大きい点で優れており、また伝熱速度が高いという特徴があり、さらに排気ガスの処理設備を基本的に必要とせず、また運転操作が容易であるなどの利点を有するため汎用されている。
一般的に回転筒は１０〜３０ｍの長さを有しており、この回転筒内において、回転筒の一方側から装入する湿潤粉体または粒状粉体を、熱媒体により加熱した加熱管と接触させ、回転筒の回転につれて、順次、他方側の排出口に連続的に移動させるようになっている。このために、回転筒は、一端の被乾燥物受入口から乾燥物排出口へ被乾燥品を円滑に移送するためにやや下り勾配をもって設置される。乾燥対象物の移動の観点からみた場合には、「一方側」が「後方」、「他方側」が「前方」となるものであり、本明細書においてはそのように定義するものである。
被乾燥物を回転筒内に装入する装入筒部の構造としては、特許文献１のように、外部に被乾燥物の受入口を有し、被乾燥物を回転筒内に装入するための筒部本体と、この筒部本体内に設けられ、前記受入口から投入された被乾燥物を前記回転筒内に送り込む送り羽根とを有している。
また、被乾燥物の品種、含液率及び乾燥物の目標の含液率、並びに被乾燥物の爆発の危険性などに対応して、回転筒内を気密性にするか大気開放型にするか、さらには蒸発液分の外部への持ち出しを意図してキャリアガス（防爆性を図る場合、窒素ガスを使用することが多い。）を使用するか否かが選択される。
ところで、被乾燥物が、たとえば微粉などであって、かつ、回転筒内の装入部分において分散が良好でないと、結露が生じ、装入被乾燥物が回転筒内面や加熱管群間に固着し、やがては装入口を閉塞する場合がある。
かかる場合には、被乾燥物の装入量を減じることを余儀なくされ、乾燥処理量の低減を招く。また、閉塞によって連続運転ができなくなり、設備の停止を余儀なくされる場合もある。
【特許文献１】特開２００４−５３２１７号公報
【発明の開示】
【発明が解決しようとする課題】
【０００３】
したがって、本発明の課題は、回転筒内への装入部分における被乾燥物の分散性を高め、乾燥処理量の低減や設備停止の事態を防止できる間接加熱型回転乾燥機を提供することにある。
他の課題は、以下の作用効果の説明から明らかであろう。
【課題を解決するための手段】
【０００４】
上記課題を解決した本発明は次記のとおりである。
＜請求項１項記載の発明＞
軸心方向周りに回動自在な回転筒と、前記回転筒内に前記回転筒軸心と平行に配置される複数の加熱管とを備え、前記回転筒の一方側から被乾燥物を装入し他方側から乾燥物を排出するようにした間接加熱型回転乾燥機において、
前記一方側において、被乾燥物を前記回転筒内に装入する装入筒部を有し、
前記装入筒部は；外部に被乾燥物の受入口を有し、かつ前記回転筒内に延在し装入口が前記回転筒内に位置して設けられた筒部本体と、前記筒部本体内に設けられ、前記受入口から投入された被乾燥物を前記回転筒内に送り込む送り羽根とを有し；
さらに、前記筒部本体の外周囲部を通して被乾燥物の分散用ガスを前記回転筒内に吹き込むガス送入手段を備えた
ことを特徴とする間接加熱型回転乾燥機。
【０００５】
（作用効果）
本発明では、筒部本体の外周囲部を通して被乾燥物の分散用ガスを回転筒内に吹き込むガス送入手段を設けたものである。
その結果、ガス送入手段によって回転筒内に被乾燥物の分散用ガスが吹き込まれると、分散用ガスの温度（被乾燥物の温度より高い温度）及び／又は吹込エネルギーによって、回転筒内に装入された被乾燥物の分散が図られる。その結果、被乾燥物に結露が生じ、装入被乾燥物が回転筒内面や加熱管群間に固着し、やがては装入口を閉塞するなどの事態を回避できるから、被乾燥物の装入量を減じることにより乾燥処理量の低減を図る必要がなく、高い乾燥効率を示す間接加熱型回転乾燥機を得ることができる。
【０００６】
＜請求項２項記載の発明＞
前記ガス送入手段は、前記筒部本体の外周囲に設けられた同心の外筒を有し、前記筒部本体と外筒との間をガス送入空間としている請求項１記載の間接加熱型回転乾燥機。
【０００７】
（作用効果）
筒部本体の外周囲に同心の外筒を設け、筒部本体と外筒との間をガス送入空間としている。したがって、回転筒と外筒との間を容易にシールが可能であり、しかも、前記ガス送入空間全体または一部分から（望ましくはガス送入空間全体から）分散用ガスを送入できる。
【０００８】
＜請求項３項記載の発明＞
前記筒部本体の先端開口縁は、下側部分が上側部分より後方に位置して開口している請求項１または２記載の間接加熱型回転乾燥機。
【０００９】
（作用効果）
筒部本体の先端開口縁が実質的に同一である場合、その先端開口縁の下方に被乾燥物が集中的に堆積しがちで、被乾燥物の分散が円滑でない場合が多いのに対し、本発明に従って、先端開口縁の下側部分が上側部分より後方に位置して開口していると、被乾燥物が前後方向に分散して装入されるようになるので、分散性に優れ、課題の解決に大きく寄与するものとなる。
【００１０】
＜請求項４項記載の発明＞
前記外筒の少なくとも下側部分先端は、前記筒部本体の先端開口縁の下側部分より後方に位置している請求項２記載の間接加熱型回転乾燥機。
【００１１】
（作用効果）
装入される被乾燥物は、ほぼ筒部本体の先端開口縁の下方に堆積するようになるところ、前記外筒の少なくとも下側部分先端は、前記筒部本体の先端開口縁の下側部分より後方に位置しているので、分散用ガスは、堆積しようとする被乾燥物の後方から送入されるので、その吹込エネルギーによって前方に分散させることができ、分散性に優れたものとなり、課題の解決に大きく寄与するものとなる。
【００１２】
＜請求項５項記載の発明＞
前記筒部本体の先端開口縁は、下側部分が上側部分より後方に位置して開口しており、前記送り羽根は、前記先端開口縁の下側部分より先端側に延在している請求項１または２記載の間接加熱型回転乾燥機。
【００１３】
（作用効果）
送り羽根が、筒部本体の先端開口縁の下側部分より先端側に延在していると、送り羽根の移送力により、被乾燥物の一部を筒部本体の先端開口縁の下側部分より前方に移送できるから、前後方向に分散させた状態で、被乾燥物を回転筒内に装入でき、もって、分散性に優れたものとなり、課題の解決に大きく寄与するものとなる。
【００１４】
＜請求項６項記載の発明＞
前記筒部本体の先端開口縁は、下側部分が上側部分より後方に位置して開口しており、前記筒部本体の前記先端開口縁の下側部分より先端側に延在している領域においては、前記送り羽根の後方側より外径が小さい請求項１または２記載の間接加熱型回転乾燥機。
【００１５】
（作用効果）
送り羽根の前方側の外径を後方側の外径より小さいものとすると、仮に堆積した被乾燥物の山が生じたとしても、その山に送り羽根が接触する可能性を抑制でき、送り羽根の損傷やその回転駆動機構の負荷の増大を防止できる。
【発明の効果】
【００１６】
以上のように、本発明によれば、回転筒内への装入部分における被乾燥物の分散性を高め、乾燥処理量の低減を防止できるなどの利点がもたらされる。
【発明を実施するための最良の形態】
【００１７】
以下図面に参照しながら、本発明を実施するための最良の形態を説明する。
実施の形態の間接加熱型回転乾燥機（スチームチューブドライヤー）は、基本的形態は、先に特許文献１に沿って説明した構造については同一であるので、全体構成については、図示を省略し説明も省略する。
【００１８】
実施の形態の間接加熱型回転乾燥機は、軸心方向周りに回動自在な回転筒１０と、回転筒１０内に回転筒１０の軸心と平行に配置される複数の加熱管１２とを備え、回転筒１０の一方側から被乾燥物Ｍを装入し他方側から乾燥物を排出するようにしたものである（乾燥物排出口は図示していない）。
【００１９】
前記一方側（図面の左方側）において、被乾燥物Ｍを回転筒１０内に装入する装入筒部２０を有し、前記装入筒部２０は、筒部本体２２と送り羽根２４とを有している。筒部本体２２は、後方側（図面の左方側）外部に被乾燥物Ｍの受入口２２Ａを有し、かつ前方側に向かって回転筒１０内に延在し装入口２２Ｂが回転筒１０内に位置して設けられている。
また、送り羽根２４は、筒部本体２２内に設けられ、受入口２２Ａから投入された被乾燥物Ｍを回転筒１０内に送り込むものである。
【００２０】
本発明においては、筒部本体２２の外周囲部を通して被乾燥物Ｍの分散用ガスＧを回転筒１０内に吹き込むガス送入手段を備えている。
ガス送入手段としては適宜のもので足り、たとえば単なる管路でもよいが、実施の形態では、筒部本体２２の外周囲に設けられた同心の外筒２６を有し、筒部本体２２と外筒２６との間をガス送入空間としてガス送入手段を構成している。
【００２１】
筒部本体２２の装入口２２Ｂを構成する先端開口縁は、下側部分が上側部分より後方に位置して開口している。
また、外筒２６の少なくとも下側部分先端は、筒部本体２２の装入口２２Ｂを構成する先端開口縁の下側部分より後方に位置している。
【００２２】
さらに、図１から明らかなように（図２では送り羽根２４を取り除いて図示してある）、  送り羽根２４は、前記先端開口縁の下側部分より先端側に延在している。しかも、筒部本体２２の前記先端開口縁の下側部分より先端側に延在している領域Ｚにおける、送り羽根２４ａの外径は、後方側の外径が小さくしてある。
【００２３】
送り羽根は、スクリュウコンベアの羽根であり、スクリュウ軸２５は後方に配置の駆動モータ２８によって回転駆動されるものである。また、スクリュウ軸２５の先端部は、筒部本体２２の先端部に設けられたブラケット及び軸受け２９によって軸支されている。
【００２４】
他方、筒部本体２２と外筒２６との間のガス送入空間には、乾燥液分を機外に排出するためのキャリアガスを被乾燥物Ｍの分散用ガスＧと兼用して送入することが望ましい。キャリアガス又は被乾燥物の分散用ガスは、間接加熱型回転乾燥機の他方側（図面の右方側）から排出できるが、図示していない。
【００２５】
分散用ガスＧの送入は、適宜の経路を採ることができるが、実施の形態では、加熱管１２から排出された排スチーム又は排ドレインを熱源として加熱したガスを、外筒２６の側部に連通させた連通路３０から、筒部本体２２と外筒２６との間に連続または間欠的に圧送し、その環状のガス送入空間の全体に分散させた後に、外筒２６の先端開口２６Ａから吹き出すようにしている。また、外筒２６の上部においては、半径方向外方に開口する先端部開口２６Ｂから吹き出すようにしている。ここで、分散用ガスを加熱せずに送入しても、被乾燥物を分散させることは可能であるが、ガスを加熱することにより、被乾燥物中の液分に蒸発潜熱を与えることが出来るため、より好適な乾燥処理が可能になる。ガスの加熱源としては他に燃料等を用いることもできるが、実施の形態のように排スチーム又は排ドレインを熱源として利用することにより、設備全体の熱の有効利用を図ることが望ましい。
【００２６】
また、防爆性を図る必要がある場合には、窒素等の不活性ガスを混入して爆発限界以下に酸素濃度を低減させたガスを分散用ガスとして採用することが望ましい。
【００２７】
なお、対地固定の外筒２６と回転する回転筒１０との間は、シール部３２によりシールされている。また、符号Ｌは被乾燥物の入口側での極端な堆積例のレベルを示すものであり、このような場合において、分散用ガスＧの吹込によって分散を好適に図ることができることが理解できよう。
【図面の簡単な説明】
【００２８】
【図１】間接加熱型回転乾燥機における被乾燥物の装入側の概要縦断面図である。
【図２】スクリュウコンベアを除いた状態での装入筒部の拡大概要縦断面図である。
【符号の説明】
【００２９】
Ｍ…被乾燥物、Ｇ…分散用ガス、１０…回転筒、１２…加熱管、２０…装入筒部、２２…筒部本体、２２Ａ…受入口、２２Ｂ…装入口、２４…送り羽根、２６…外筒。
【図１】
2008089246.tif 000003
【図２】
2008089246.tif 000004